(57)【要約】【課題】  同軸ケーブル全体の引き出し面積を小さくし、同軸コネクタの周囲にほかの部品を実装できる領域を大きく取ることができる同軸コネクタを提供する。【解決手段】  信号処理機器に接続されるリセコネクタと、このリセコネクタの内部に収容されるプラグコネクタとを有し、リセコネクタは互いに平行な２つの直線上に配置された複数のコンタクトを備え、プラグコネクタは、リセコネクタに収容されたときにリセコネクタの複数のコンタクトに対応するように互いに平行な２つの直線上に配置された複数のコンタクトを備え、プラグコネクタの複数のコンタクトのそれぞれに接続される複数の同軸ケーブルは、プラグコネクタの複数のコンタクトの配置方向に対して平行にプラグコネクタから延出する。【選択図】  図１
2005251581.tif 000002
【特許請求の範囲】
【請求項１】
信号処理機器に接続されるリセコネクタと、このリセコネクタの内部に収容されるプラグコネクタとを有し、
前記リセコネクタは互いに平行な２つの直線上に配置された複数のコンタクトを備え、
前記プラグコネクタは、前記リセコネクタに収容されたときに前記リセコネクタの複数のコンタクトに対応するように互いに平行な２つの直線上に配置された複数のコンタクトを備え、
前記プラグコネクタの複数のコンタクトのそれぞれに接続される複数の同軸ケーブルは、前記プラグコネクタの複数のコンタクトの配置方向に対して平行に前記プラグコネクタから延出することを特徴とする同軸コネクタ。
【請求項２】
信号処理機器に接続されるリセコネクタと、このリセコネクタの内部に収容されるプラグコネクタとを有し、
前記リセコネクタは互いに平行な２つの直線上に配置された複数のコンタクトを備え、
前記プラグコネクタは、前記リセコネクタに収容されたときに前記リセコネクタの複数のコンタクトに対応するように互いに平行な２つの直線上に配置された複数のコンタクトを備え、
前記プラグコネクタの複数のコンタクトのそれぞれに接続される複数の同軸ケーブルは、前記プラグコネクタの複数のコンタクトの配置方向に対して垂直に配置された出口から、前記プラグコネクタの外部へ延出することを特徴とする同軸コネクタ。
【請求項３】
前記複数の同軸ケーブルは密着した状態で延出する請求項１又は請求項２記載の同軸コネクタ。
【請求項４】
前記複数の同軸ケーブルは鉛直方向に積層した状態で延出する請求項１〜請求項３のいずれか１項記載の同軸コネクタ。
【請求項５】
信号処理機器に接続されるリセコネクタの内部に収容されるプラグコネクタであって、
前記プラグコネクタは、前記リセコネクタに収容されたときに、前記リセコネクタにおいて互いに平行な２つの直線上に配置された複数のコンタクトに対応するように互いに平行な２つの直線上に配置された複数のコンタクトを備え、
前記プラグコネクタの複数のコンタクトのそれぞれに接続される複数の同軸ケーブルは、前記プラグコネクタの複数のコンタクトの配置方向に対して平行に前記プラグコネクタから延出することを特徴とする同軸コネクタ用プラグコネクタ。
【請求項６】
信号処理機器に接続されるリセコネクタの内部に収容されるプラグコネクタであって、
前記プラグコネクタは、前記リセコネクタに収容されたときに、前記リセコネクタにおいて互いに平行な２つの直線上に配置された複数のコンタクトに対応するように互いに平行な２つの直線上に配置された複数のコンタクトを備え、
前記プラグコネクタの複数のコンタクトのそれぞれに接続される複数の同軸ケーブルは、前記プラグコネクタの複数のコンタクトの配置方向に対して垂直に配置された出口から前記プラグコネクタの外部へ延出することを特徴とする同軸コネクタ用プラグコネクタ。
【請求項７】
前記複数の同軸ケーブルは密着した状態で延出する請求項５又は請求項６記載の同軸コネクタ用プラグコネクタ。
【請求項８】
前記複数の同軸ケーブルは鉛直方向に積層した状態で延出する請求項５〜請求項７のいずれか１項記載の同軸コネクタ用プラグコネクタ。
【発明の詳細な説明】
【技術分野】
【０００１】
本発明は、通信機器、伝送機器、計測機器などの機器の高速伝送に適した同軸コネクタ及びこの同軸コネクタに用いるプラグコネクタに関する。
【背景技術】
【０００２】
従来の同軸コネクタとしては、信号処理機器に接続されるリセコネクタと、複数の同軸ケーブルが接続され、リセコネクタに嵌入されるプラグコネクタとを備えたものがあった。この同軸コネクタにおいては、鉛直方向直交断面が略矩形のプラグコネクタの辺に複数のコンタクトの先端が直線上に配置され、これらのコンタクトはこの辺に垂直な方向に沿って、互いに平行に延びていた。
【特許文献１】特開２０００−１７３７２７号公報
【発明の開示】
【発明が解決しようとする課題】
【０００３】
上述の従来の同軸コネクタにおいては、それぞれがコンタクトの一つに導通される複数の同軸ケーブルが、コンタクトの延びる方向に沿ってプラグコネクタから互いに平行に延出している。さらに、同軸ケーブルが一つの面内で、コンタクトの間隔に合わせた間隔をおいて互いに平行な状態でプラグコネクタから延出している。このような配置のため、同軸コネクタの周囲のうち、少なくとも同軸ケーブルが延出する部分にはほかの部品を実装することができなかった。
【課題を解決するための手段】
【０００４】
上記課題を解決するために、本発明の同軸コネクタにおいては、信号処理機器に接続されるリセコネクタと、このリセコネクタの内部に収容されるプラグコネクタとを有し、リセコネクタは互いに平行な２つの直線上に配置された複数のコンタクトを備え、プラグコネクタは、リセコネクタに収容されたときにリセコネクタの複数のコンタクトに対応するように互いに平行な２つの直線上に配置された複数のコンタクトを備え、プラグコネクタの複数のコンタクトのそれぞれに接続される複数の同軸ケーブルは、プラグコネクタの複数のコンタクトの配置方向に対して平行にプラグコネクタから延出することを特徴としている。
【０００５】
本発明の同軸コネクタは、信号処理機器に接続されるリセコネクタと、このリセコネクタの内部に収容されるプラグコネクタとを有し、リセコネクタは互いに平行な２つの直線上に配置された複数のコンタクトを備え、プラグコネクタは、リセコネクタに収容されたときにリセコネクタの複数のコンタクトに対応するように互いに平行な２つの直線上に配置された複数のコンタクトを備え、プラグコネクタの複数のコンタクトのそれぞれに接続される複数の同軸ケーブルは、プラグコネクタの複数のコンタクトの配置方向に対して垂直に配置された出口から、プラグコネクタの外部へ延出することを特徴としている。
【０００６】
本発明のプラグコネクタは、信号処理機器に接続されるリセコネクタの内部に収容されるプラグコネクタであって、プラグコネクタは、リセコネクタに収容されたときに、リセコネクタにおいて互いに平行な２つの直線上に配置された複数のコンタクトに対応するように互いに平行な２つの直線上に配置された複数のコンタクトを備え、プラグコネクタの複数のコンタクトのそれぞれに接続される複数の同軸ケーブルは、プラグコネクタの複数のコンタクトの配置方向に対して平行にプラグコネクタから延出することを特徴としている。
【０００７】
本発明のプラグコネクタは、信号処理機器に接続されるリセコネクタの内部に収容されるプラグコネクタであって、プラグコネクタは、リセコネクタに収容されたときに、リセコネクタにおいて互いに平行な２つの直線上に配置された複数のコンタクトに対応するように互いに平行な２つの直線上に配置された複数のコンタクトを備え、プラグコネクタの複数のコンタクトのそれぞれに接続される複数の同軸ケーブルは、プラグコネクタの複数のコンタクトの配置方向に対して垂直に配置された出口からプラグコネクタの外部へ延出することを特徴としている。
【０００８】
上記複数の同軸ケーブルは密着した状態で延出することが好ましい。
【０００９】
上記複数の同軸ケーブルは鉛直方向に積層した状態で延出することが好ましい。
【発明の効果】
【００１０】
本発明によると、プラグコネクタのコンタクトの配置方向と平行な方向に沿って、少なくともプラグコネクタ出口において、複数の同軸ケーブルを互いに平行に延出しており、さらに、同軸ケーブルを鉛直方向において積層し、かつ互いに密着して配置してある。このため、同軸ケーブル全体の引き出し面積を小さくすることができ、かつ、同軸ケーブルを鉛直方向に投影したときの面積を小さくすることができる。よって、同軸コネクタの周囲において、ほかの部品を実装することができる領域を大きく取ることができる。
【発明を実施するための最良の形態】
【００１１】
以下、本発明に係る実施形態を図１〜図４を参照しつつ詳しく説明する。
図１に示すように、本実施形態に係る同軸コネクタ１０は、複数の信号線とアースラインを有する信号処理機器に接続されるリセ（リセプタクル）コネクタ２０と、複数の同軸ケーブル１００（図３）が接続されるプラグコネクタ４０と、を有する。同軸コネクタ１０の使用時には、プラグコネクタ４０をリセコネクタ２０に嵌入することにより、リセコネクタ２０の複数のコンタクトと複数の同軸ケーブル１００を導通させることができる。
【００１２】
（１）リセコネクタ
図２（ａ）に示すように、リセコネクタ２０は、インシュレータ２１とカバー３１とを有し、カバー３１とインシュレータ２１を嵌合することによりアセンブリされている。
【００１３】
図２（ａ）〜図２（ｃ）に示すように、インシュレータ２１は、鉛直方向（図２（ｃ）のＶ方向）直交断面が長方形状の開口部２２が中央に形成された本体部２３を備える。この開口部２２の対向する２つの長辺２２ａ、２２ｂのそれぞれにおいて、互いに一定の間隔をおいて配置された略Ｌ字形状の複数のコンタクト２４、２５が配置されている。コンタクト２４、２５は、それぞれ、そのＬ字の屈曲部２４ｃ、２５ｃが長辺２２ａ、２２ｂ上で直線上に配置されている。コンタクト２４、２５は、屈曲部２４ｃ、２５ｃから一端部２４ｅ、２５ｅまでの部分２４ａ、２５ａは水平方向（図２（ｃ）のＨ方向）に延び、屈曲部２４ｃ、２５ｃから他端部２４ｄ、２５ｄまでの部分２４ｂ、２５ｂは鉛直方向に延びている。端部２４ｅ、２５ｅは信号処理機器（不図示）に接続される。
【００１４】
カバー３１の中央には、鉛直方向直交断面が長方形状の開口部３２が設けられている。この開口部３２は、インシュレータ２１にカバー３１を嵌合させたときに、その内面に、コンタクト２４、２５のうち部分２４ｂ、２５ｂを収容かつ内側に一部を露出させる凹部３２ａ、３２ｂを備えている。また、開口部３２の外面には、インシュレータ２１にカバー３１を嵌合させたときにコンタクト２４とコンタクト２５に対応する位置に、略Ｌ字形状の複数のコンタクト３４、３５が配置されている。コンタクト３４、３５は、屈曲部３４ｃ、３５ｃから一端部３４ｅ、３５ｅまでの部分は水平方向に延び、屈曲部３４ｃ、３５ｃから他端部３４ｄ、３５ｄまでの部分は鉛直方向に延びている。端部３４ｅ、３５ｅは信号処理機器（不図示）に接続される。インシュレータ２１にカバー３１を嵌合させたとき、部分２４ａ、２５ａは開口部３２の底面３２ｃと本体部２３との間で圧接されるとともに、部分２４ａ、２５ａと、屈曲部３４ｃ、３５ｃから一端部３４ｅ、３５ｅまでの部分と、はそれぞれ互いに接触する。
【００１５】
（２）プラグコネクタ
図３に示すように、プラグコネクタ４０は、インシュレータ４１、圧接カバー６１、アンダーシェル７１、及びオーバーシェル８１を有する。プラグコネクタ４０は、あらかじめ圧接カバー６１を内部に嵌入したインシュレータ４１内に同軸ケーブル１００を配置した状態で、同軸ケーブル１００を挟んでアンダーシェル７１をインシュレータ４１に係合させ、さらに、オーバーシェル８１をインシュレータ４１に係合することによりアセンブリされる。
【００１６】
プラグコネクタ４０の構成について以下に詳細に説明する。
インシュレータ４１は、略直方体形状の絶縁物質からなり、中空の収容部（不図示）に図４（ａ）に示す圧接カバー６１が嵌入される。略直方体形状の圧接カバー６１の対向する長辺６２、６３には、同軸ケーブル１００をそれぞれ嵌入するための複数の凹部６４、６５が互いに一定の間隔をおいて設けられている。この凹部６４、６５の配置間隔は、コンタクト２４、２５の配置の間隔と同一である。
【００１７】
同軸ケーブル１００の圧接カバー６１への固定はケーブル固定部材６６を用いて行う。図４（ｂ）に示すように、固定部材６６は、上述のように並設された凹部６４及び凹部６５内において長辺６２、６３の内側面にあらかじめ接着固定される円柱状の基部６６ａと、基部６６ａの先端に設けられた把持部６６ｂと、基部６６ａから下方に延びる腕部６６ｃと、から構成される。腕部６６ｃは、基部６６ａから垂直下方に延びてその先端に向かうにつれて基部６６ａから離間する形状となっており、基部６６ａの中心軸方向に弾性変形可能である。図４（ｃ）に示すように、把持部６６ｂは、その湾曲形状によって略円形の間隙６６ｂ３を介して対向する把持部材６６ｂ１、６６ｂ２を備えている。この間隙６６ｂ３は、同軸ケーブル１００の外径よりやや小さな直径を有している。
【００１８】
凹部６４、６５のそれぞれに同軸ケーブル１００のそれぞれを嵌入すると、同軸ケーブル１００の先端は凹部６４、６５内に配置された腕部６６ｃに突き当たる。すると、腕部６６ｃの形状とその弾性により同軸ケーブル１００は上方に導かれる。さらに、同軸ケーブル１００を凹部６４、６５内に嵌入する力を加えると、その先端は間隙６６ｂ３に圧入される。同軸ケーブル１００は、その被覆部分の弾性により間隙６６ｂ３に圧入できる一方、圧入する力を開放しても、間隙６６ｂ３の直径が同軸ケーブル１００の外径よりやや小さいことにより同軸ケーブル１００が間隙６６ｂ３から抜け落ちるおそれは少ない。このようにして、同軸ケーブル１００の一端部を圧接カバー６１に対して固定することができる。このように固定された同軸ケーブル１００の他端部は出口４１ａから外部に延出する。
【００１９】
上述の説明では、間隙６６ｂ３に圧入することによって同軸ケーブル１００を固定したが、先端の被覆部分を剥いた状態で同軸ケーブル１００を間隙６６ｂ３に挿入し、間隙６６ｂ３の上方からはんだを供給して固定することもできる。
【００２０】
同軸ケーブル１００は、インシュレータ４１の出口４１ａから遠い側の凹部６４、６５から圧入配置され、出口４１ａに近い側の凹部６４、６５へと、順に、圧入される。また、同軸ケーブル１００は、インシュレータ４１の出口４１ａから遠い側の凹部６４、６５に圧入された３本が圧接カバー６１の中央平面６７上に第１コンタクト群１００ａとして並べて接触配置され、次に出口４１ａから遠い側の凹部６４、６５に圧入された７本が、第１コンタクト群１００ａ上に接触する第２コンタクト群１００ｂとして積層配置され、さらに出口４１ａから遠い側の凹部６４、６５に圧入された７本が、第２コンタクト群１００ｂ上に接触する第３コンタクト群１００ｃとして積層配置され、最後に出口４１ａに近い側の凹部６４、６５に圧入された５本の同軸ケーブル１００が、第３コンタクト群１００ｃ上に接触する第４コンタクト群１００ｄとして積層配置される。凹部６４、６５から出口４１ａまでのそれぞれの同軸ケーブル１００の引き回し距離は、出口４１ａから遠い凹部６４、６５内に配置した同軸ケーブル１００ほど圧接カバー６１内でたるませることにより、同一としてある。なお、コンタクト群の層数及び各コンタクト群を構成する同軸ケーブル１００の数は任意に設定することができる。
【００２１】
図４（ｄ）に示すアンダーシェル７１は、絶縁性の物質からなり、一面が開放された略直方体形状の本体部７１ａと、この本体部７１ａから延びる係合部７１ｂとを備える。本体部７１ａの対向する側面には凹部６４、６５と対応する位置にコンタクト７４、７５が配置されている。このような構成のアンダーシェル７１を、係合部７１ｂがインシュレータ４１の開口部４１ｂに係合するように、インシュレータ４１及び圧接カバー６１の底面に嵌入すると、同軸ケーブル１００を押さえることができるとともに、同軸ケーブル１００のそれぞれがコンタクト７４、７５のそれぞれに導通する。ここで、出口４１ａの幅方向は、コンタクト７４の配置方向及びコンタクト７５の配置方向に対して垂直となっている。
【００２２】
図４（ｅ）に示すオーバーシェル８１は、インシュレータ４１を保護するために、インシュレータ４１の上面を覆うように嵌合される絶縁性部材である。このオーバーシェル８１は、その略長方形の基板８２の対向する長辺８２ａ、８２ｂから垂直に延びる係合部８３、８４を備えており、この係合部８３、８４によってインシュレータ４１に係合し、オーバーシェル８１とインシュレータ４１とが固定される。また、オーバーシェル８１は、圧接カバー６１内から延出する同軸ケーブル１００が挿通される案内部８５を備える。オーバーシェル８１をインシュレータ４１に係合するときは、案内部８５は開放された状態であって、係合終了後に案内部８５の両端にあたる腕部８５ａ、８５ｂをかしめて閉じることにより、プラグコネクタ４０内において同軸ケーブル１００が移動することを規制する。
【００２３】
以上の構成によると、同軸ケーブル１００は、少なくとも出口４１ａにおいて、インシュレータ４１に係合したときのコンタクト７４の配置方向及びコンタクト７５の配置方向と平行に同軸コネクタ１０から同軸ケーブル１００が延出している。別言すれば、同軸ケーブル１００は、インシュレータ４１に係合したときのコンタクト７４の配置方向及びコンタクト７５の配置方向と垂直な出口４１ａから延出している。
【００２４】
（３）同軸コネクタ
同軸コネクタ１０は、上述のように構成されたプラグコネクタ４０をリセコネクタ２０内に押入した状態で使用する。この状態ではコンタクト２４、コンタクト２５のそれぞれと、コンタクト７４、７５のそれぞれとが導通し、さらに、コンタクト７４、７５のそれぞれと、同軸ケーブル１００のそれぞれとが導通する。これにより、コンタクト２４、２５に接続される信号処理機器と、同軸ケーブル１００に接続される機器との間で信号のやりとりが可能となる。
【００２５】
同軸ケーブル１００は、コンタクト７４の配置方向及びコンタクト７５の配置方向に対して平行な方向において、互いに平行に、同軸コネクタ１０から延出している。また、同軸ケーブル１００は鉛直方向において積層し、かつ互いに密着して配置してある。このため、同軸ケーブル１００全体の同軸コネクタ１０からの引き出し面積を小さくすることができる。よって、同軸コネクタ１０の周囲においてほかの部品を実装することができる領域を大きく取ることができる。
【００２６】
また、コンタクト２４とコンタクト２５、及び、コンタクト７４と７５をそれぞれ対向させて配置し、同軸コネクタ１０の使用時にはコンタクト２４とコンタクト２５の間、及び、コンタクト７４と７５の間に同軸ケーブル１００が配置されるためクロストークを抑えることができる。
【００２７】
本発明について上記実施形態を参照しつつ説明したが、本発明は上記実施形態に限定されるものではなく、改良の目的または本発明の思想の範囲内において改良または変更が可能である。
【図面の簡単な説明】
【００２８】
【図１】本発明の実施形態に係る同軸コネクタの構成を示す斜視図である。
【図２】本発明の実施形態に係る同軸コネクタのリセコネクタの構成を示し、（ａ）斜視図、（ｂ）は平面図、（ｃ）は（ｂ）のＩＩＣ−ＩＩＣ線に沿った断面図である。
【図３】本発明の実施形態に係る同軸コネクタのプラグコネクタの構成を示し、（ａ）は圧接カバーが取り付けられたインシュレータに同軸ケーブルが収容されたときの構成を示す底面図、（ｂ）は（ａ）のＩＩＩＢ−ＩＩＩＢ線に沿った断面図、（ｃ）はさらにアンダーシェルが取り付けられたときの構成を示す底面図、（ｄ）は（ｃ）のＩＩＩＤ−ＩＩＩＤ線に沿った断面図、（ｅ）はさらにオーバーシェルが取り付けられたときの構成を示す底面図、（ｆ）は（ｅ）のＩＩＩＦ−ＩＩＩＦ線に沿った断面図である。
【図４】（ａ）は本発明の実施形態に係る圧接カバーの構成を示す斜視図、（ｂ）は本発明の実施形態に係るケーブル固定部材の構成及び同軸ケーブルとの関係を示す側面図、（ｃ）はケーブル固定部材の構成を示す平面図、（ｄ）は本発明の実施形態に係るアンダーシェルの構成を示す斜視図、（ｅ）は本発明の実施形態に係るオーバーシェルの構成を示す斜視図である。
【符号の説明】
【００２９】
１０    同軸コネクタ
２０    リセコネクタ
２４    コンタクト
２５    コンタクト
４０    プラグコネクタ
４４    コンタクト
４５    コンタクト
６４    凹部
６５    凹部
６６    ケーブル固定部材
７４    コンタクト
７５    コンタクト
１００  同軸ケーブル
Ｈ      水平方向
Ｖ      鉛直方向
【図１】
2005251581.tif 000003
【図２】
2005251581.tif 000004
【図３】
2005251581.tif 000005
【図４】
2005251581.tif 000006